(57)【要約】      （修正有）【課題】急な用事ごと等でメモを記載する必要性が生じた場合に、容易にメモしうるメモパット付きＩＤカードケースを提供する。【解決手段】ケース本体部と、上記ケース本体部の裏面に形成され、メモパットを保持しうるメモホルダー部とを備えていることを特徴とする。【選択図】図３
0003154240.tif 000002
【実用新案登録請求の範囲】
【請求項１】
ケース本体部と、上記ケース本体部の裏面に形成され、メモパットを保持しうるメモホルダー部とを備えていることを特徴とするメモパット付きＩＤカードケース。
【請求項２】
上記メモホルダー部は、方形で板状に形成され、メモパットの保持部を有するホルダー本体と、上記ホルダー本体に重ね合わせて上記保持部を被履しうるカバー部とを有し、
上記カバー部の一端がホルダー本体に連設されると共に、他端は留め具により固定しうることを特徴とする請求項１記載のメモパット付きＩＤカードケース。
【請求項３】
上記カバー部の裏面に筆記具固定部が設けられていることを特徴とする請求項１または２記載のメモパット付きＩＤカードケース。
【請求項４】
上記ＩＤカードケースは、身分証明書ケースとして使用されることを特徴とする請求項１〜３のいずれか１項記載のメモパット付きＩＤカードケース。
【請求項５】
上記カードケース本体部に吊り下げ保持部を有することを特徴とする請求項１〜４のいずれか１項記載のメモパット付きＩＤカードケース。
【請求項６】
上記カードケース本体部に吊り下げ、保持部にフックで留め紐の元の所に固定ピンで留めることを特徴とする請求項１〜５のいずれか１項記載のメモパット付きＩＤカードケース。
【請求項７】
ホルダー本体受の裏面に両面テープを貼り付け、今使用中のＩＤカードケースの裏面に貼ることで、メモパットＩＤカードケースに模様替え出来て、身分証明書ケースとして使用されることを特徴とする。
【考案の詳細な説明】
【技術分野】
【０００１】  本考案は、メモパット付きＩＤカードケースに係り、特に身分証明書ケースとして使用されると共にメモしうるメモパット付きＩＤカードケースに関する。【０００２】  昨今において、病院関係者（先生、看護士）、公務員、商売、会社等で、自己の身分を証明する方法として、身分証明書を外部から視認できるようにＩＤカードケースに収納して、身分証明書を収納したＩＤカードケースを常時首から紐を介して垂下させたり、衣服の胸ポケット等から取り付け具を介して垂下させたりすることで、他人に自己の身分を示すような方法が用いられている。【０００３】  一方、打ち合わせ、急な電話又は用事ごと等の場合等の際に、その内容を忘れないようにメモを記載する必要性が生じる場合がある。【０００４】  このような場合、従来は、手帳等と筆記具を事前に用意して、打ち合わせ等の場所に持参してメモを記載する必要があり、急な用事ごと等での場合には、手帳等を用意することは困難であった。【０００５】  このような場合、身分証明書ケースを常時首から垂下させるような使用をしている場合には、身分証明書ケースにメモ用紙が収納され、筆記具等が備えられていれば、急にメモを記載する必要がある場合には便利である。【０００６】  本考案はこのような課題を解決するためになされたものであって、身分証明書ケースの裏面に形成され、急な用事ごと等でメモを記載する必要性が生じた場合に、容易にメモしうるメモ用紙が収納され、筆記具等が備えられているメモパット付きＩＤカードケースを提供することにある。【０００７】  上記課題を解決するために、請求項１記載の考案にあっては、ケース本体部と、上記ケース本体部の裏面に形成され、メモパットを保持しうるメモホルダー部とを備えていることを特徴とする。
従って、上記メモホルダー部にメモパットを保持させ携帯することで、必要に応じて上記メモパットにメモを記載することができる。【０００８】  請求項２記載の考案にあっては、上記メモホルダー部は、方形で板状に形成され、メモパットの保持部を有するホルダー本体と、上記ホルダー本体に重ね合わせて上記保持部を被覆しうるカバー部とを有し、上記カバー部の一端がホルダー本体に連設されると共に、他端は留め具により固定しうることを特徴とする。
従って、上記カバー部は上記保持部を被覆しているので、上記ホルダー本体の保持部に保持されたメモパットを上記カバー部材により隠蔽でき、また、メモパット自体も被覆されているのでメモパットの落下を防止することができる。【０００９】  請求項３記載の考案にあっては、カバー部の裏にペン差し部が設けられていることを特徴とする。従って、上記筆記具固定部に筆記具を挿通して保持させ携帯することで、必要に応じて上記メモパットにメモを記載することができる。【００１０】  請求項４記載の考案にあっては、上記ＩＤカードケースは、身分証明書ケースとして使用されることを特徴とする。【００１１】  請求項５記載の考案にあっては、上記カードケース本体部に吊り下げ保持部を有することを特徴とする。
従って、上記保持部に紐等を取り付けることで、首から紐を介して垂下させたり、衣服の胸ポケット等から取り付け具を介して垂下させることができる。
【考案の効果】
【００１２】  請求項１記載の考案にあっては、ケース本体部と、上記ケース本体部の裏面に形成され、メモパットを保持しうるメモホルダー部とを備えており、上記メモホルダー部にメモパットを保持させ携帯することができるので、例えば、常時身分証明書ケースとして携帯している場合には、急な打ち合わせ、急な電話又は急な用事等も、必要に応じて上記メモパットにメモを記載することができる。
従って、手帳等の用意が困難な急な場合であっても、容易に上記メモパットにメモを記載することができる。
【００１３】  請求項２記載の考案にあっては、上記メモホルダー部は、方形で板状に形成され、メモパットの保持部を有するホルダー本体と、上記ホルダー本体に重ね合わせて上記保持部を被覆しうるカバー部とを有し、上記カバー部の一端がホルダー本体に連設されると共に、他端は留め具により固定しうるので、上記ホルダー本体の保持部に保持されたメモパットを上記カバー部材により隠蔽できると共に外観上の体裁を整わせることができ、また、上記カバー部材によりメモパット自体も被覆されているので本考案に係るメモパット付きＩＤカードケースを粗雑に扱った場合においてもメモパットの落下を防止することができる
【００１４】  請求項３記載の考案にあっては、筆記具固定部が設けられているので、上記筆記具固定部に筆記具を挿通して保持させ携帯することで、必要に応じて上記メモパットにメモを記載することができ、筆記具を別に携帯したり探す必要がない。
また、図２に示すように、本実施の形態に係るメモパット付きＩＤカードケース１０は、ケース本体部１１と、上記ケース本体部１１の裏面に形成され、図３に示すようなメモパット２１を保持しうるメモホルダー部１２とを備えている。
また、図３に示すように、上記メモホルダー部１２は、方形で板状に形成され、メモパットの保持部１４ａ，１４ｂを有するホルダー本体１３と、上記ホルダー本体１３に重ね合わせて上記保持部１４ａ、１４ｂを被覆しうるカバー部１５とを有し、上記カバー部１５の一端がホルダー本体１３に連設されると共に、他端は留め具１６により固定しうる構成となっている。
また、図３に示すように、上記ホルダー本体１３の側縁部１８には、筆記具固定部１９が設けられている。
【００１５】  請求項４記載の考案にあっては、上記ＩＤカードケースは、身分証明書ケースとして使用されるので、身分証明書を収納して常時携帯するような使用がされる場合には、急にメモを記載する必要性が生じた場合であっても、上記メモパットにメモを記載することができる。
【００１６】  請求項５記載の考案にあっては、上記カードケース本体部に吊り下げ保持部を有するので、ポケットやバッグに収納するだけでなく、身分証明書を収納したＩＤカードケースを首から紐を介して垂下させたり、衣服の胸ポケット等から取り付け具を介して垂下させることができ、このような使用をしている場合には、急にメモを記載する必要性が生じた場合であっても、即座に容易にメモを記載することができる。
【考案を実施するための最良の形態】
【００１７】  以下、図面を用いて本考案の実施の形態について説明する。
図１に示すように、本実施の形態に係るメモパット付きＩＤカードケース１０は、身分証明書ケースとして構成され、身分証明書を挿入しうる挿入口２３と、身分証明書を収納したＩＤカードケースを首から紐を介して垂下させるための吊り下げ保持部２１とを有する。【００１８】  以下に、本実施例について詳細を説明する。
図３に示すように、上記メモホルダー１２は、メモパット２１を保持しうる保持部１４ａ以外の部分の中間部はメモしうるように露呈した状態で上記保持部１４ａ、１４ｂにより保持されている。【００１９】図３に示すように、上記保持部１４ａ、１４ｂと、上記保持部１４ａ、１４ｂに保持されたメモパット２１と、筆記具が装着された筆記具固定部１９とを被履しうるカバー部１５が上記ホルダー本体１３に重ね合わせるように上記ホルダー本体１３の一端に連設されている。
そして、上記カバー部１５の他端は留め具１６として用いられたホック１６により固定されるように構成されている。
すなわち、図３に示すように、上記ケース本体部１１の裏面にホック雄部材１７ｂが、また、上記カバー部１５にはホック雄部材１７ａが夫々取り付けられている。【００２０】  以下に、上記実施例の作用について説明する。
図３に示すメモパット付きＩＤカードケース１０の上記吊り下げ保持部２２に所定の長さの紐を通し、紐をループ状に形成することで、首から垂下させることができる身分証明書ケースとなる。【００２１】  図２に示すように、メモパット付きＩＤカードケース１０の裏側にはメモホルダー部１２が設けられており、カバー部材１５がホック１６により固定されている。
また、図３に示すような上記保持部１４ａ、１４ｂに保持されたメモパット２１自体も被履されているのでメモパット付きＩＤカードケース１０を粗雑に扱った場合においてもメモパット２１の落下を防止することができる。【００２２】  メモパット２１にメモを記載したい場合には、図２に示すホック１６部分を外し、図３に示すように、カバー部１５を開く。
そして、筆記具固定部１９に装着された筆記を使用してメモパット２１にメモを容易に記載することができる。
従って、メモを記載する必要が生じた場合に筆記具を探す必要がなく即座にメモパット２１にメモを記載することができる。
また、メモパット２１は、上記保持部１４ａ、１４ｂ以外の部分の中間部はメモしうるように露呈した状態で上記保持部１４ａ、１４ｂにより保持されているので、カバー部１５を開く操作のみで、メモパット２１にメモを記載することができる。【００２３】  従って、急な打ち合わせ等でメモを記載する必要性が生じた場合に、容易にメモしうるメモ用紙を収納したメモパット付きＩＤカードケース１０を提供することができる。【００２４】  また、メモパット２１を保持しうる保持部１４ａ、１４ｂをホルダー本体１３の各コーナーに有しており、記載済みのメモパット２１を取り出したり、メモパット２１を追加することが容易にできる。【００２５】  また、本実施の形態においては記載されていないが、他の実施の形態としては、吊り下げ保持部２１はこのような形態に限られるものではなく、衣服の胸ポケット等から取り付け具を介して垂下させることが可能な形態でもよい。
また、メモホルダー１２の大きさは限定されるものではなく、ケース本体部１１の裏面全体に至るものであっても、本実施例よりも小さなもの、大きなものであっても適用することができる。【００２６】  請求項６記載の考案にあっては、吊り下げ保持部にフックを介して紐の元を固定ピンで留めることで、首を傾けてもＩＤカードケースが前に垂下してブラブラせず、邪魔にならなくなる。
また、衣服とＩＤカードケースを合体させる為、体に密着して反対側に返ったりもしなくなる。【００２７】    請求項７記載の考案にあってはホルダー本体受け部に１５カバー部１３ホルダー部１４本体部、１９筆記具固定部に合体した部分にホルダー本体受け部の裏面に両面テープ貼り加工した、部分に今使用中の  ＩＤカードケースの裏面に貼り付けることで、メモパット付きＩＤカードケースとして使用出来る、付加価値が付き利便性が増すとことを特徴とする。
【産業上の利用可能性】
【００２８】  本考案は、身分証明書ケースとして使用されると共にメモしうるメモパット付きＩＤカードケースに適用することができる。
【図面の簡単な説明】
【００２９】
【図１】本考案に係るメモパット付きＩＤカードケースの一実施の形態を示す正面側斜視図である。
【図２】本考案に係るメモパット付きＩＤカードケースの一実施の形態を示す裏面側斜視図である。
【図３】本考案に係るメモパット付きＩＤカードケースの一実施の形態を示すカバー部を開いた状態の裏面斜視図である。
【符号の説明】
【００３０】１０    メモパット付きＩＤカードケース
１１    ケース本体部
１２    メモホルダー
１２    メモホルダー
１３    ホルダー本体
１４ａ  本体部
１４ｂ  本体部
１５    カバー部
１６    留め具、ホック
１７ａ  ホック雌部材
１７ｂ  ホック雄部材
１８    側縁部
１９    筆記具固定部
２１    メモパット
２２    吊り下げ保持部
２３    挿入口
２４    フック
２５    固定ピン
２６    紐
２７    ホルダー本体受部
【図１】
0003154240.tif 000003
【図２】
0003154240.tif 000004
【図３】
0003154240.tif 000005
【手続補正書】
【提出日】平成21年7月10日(2009.7.10)
【手続補正１】
【補正対象書類名】実用新案登録請求の範囲
【補正対象項目名】全文
【補正方法】変更
【補正の内容】
【実用新案登録請求の範囲】
【請求項１】
ケース本体部と、上記ケース本体部の裏面に形成され、メモパットを保持しうるメモホルダー部とを備えていることを特徴とするメモパット付きＩＤカードケース。
【請求項２】
上記メモホルダー部は、方形で板状に形成され、メモパットの保持部を有するホルダー本体と、上記ホルダー本体に重ね合わせ、被履しうるカバー部を有し、カバー部の一端がホルダー本体に連設されると共に、他端は留め具により固定しうることを特徴とする請求項１記載のメモパット付きＩＤカードケース。
【請求項３】
上記カバー部の裏面に筆記具固定部が設けられていることを特徴とする請求項２記載のメモパット付きＩＤカードケース。
【請求項４】
上記ＩＤカードケースは、身分証明書ケースとして使用されることを特徴とする請求項１〜３のいずれか１項記載のメモパット付きＩＤカードケース。
【請求項５】
上記ケース本体部に吊り下げ保持部を有することを特徴とする請求項１〜４のいずれか１項記載のメモパット付きＩＤカードケース。
【請求項６】
上記ケース本体部を吊り下げる、紐の元の所に固定ピンで留めることを特徴とする請求項１〜５のいずれか１項記載のメモパット付きＩＤカードケース。
【請求項７】
ホルダー本体受の裏面に両面テープを貼り、ＩＤケースの裏面に貼ることを、特徴とする請求項１〜６のいずれか１項記載のメモパット付きＩＤカードケース。